(57)【特許請求の範囲】
【請求項１】
ドア保持用のヘッダーケースに曲げ加工により一体的に形成されたガイドレールと、回転自在なハンガーローラを有し、そのハンガーローラが前記ガイドレールの上縁に転動自在に掛け合わされることで前記ガイドレールの下方に懸架され、この懸架状態で前記ガイドレールに沿って移動するドアパネルとを具備し、
前記ガイドレールの下面は、前記ドアパネルに向って斜め下方に傾斜し、前記ドアパネルには回転自在な抑えローラが設けられ、この抑えローラが前記ガイドレールの下面側に配置されてその下面と近接して対向し、前記抑えローラはその周面が前記ガイドレールの下面と同じ方向及び角度でテーパ状に傾斜する傘型形状となっていることを特徴とするエレベータのドア装置。
【請求項２】
ドア保持用のヘッダーケースに曲げ加工により一体的に形成されたガイドレールと、回転自在なハンガーローラを有し、そのハンガーローラが前記ガイドレールの上縁に転動自在に掛け合わされることで前記ガイドレールの下方に懸架され、この懸架状態で前記ガイドレールに沿って移動するドアパネルとを具備し、
前記ガイドレールの下面は平坦で、前記ドアパネルには回転自在な抑えローラが設けられ、この抑えローラが前記ガイドレールの下面側に配置されてその下面と接触し、前記抑えローラの少なくとも周面が摩擦係数の大きな材料で形成されていることを特徴とするエレベータのドア装置。
【請求項３】
ドア保持用のヘッダーケースに曲げ加工により一体的に形成されたガイドレールと、回転自在なハンガーローラを有し、そのハンガーローラが前記ガイドレールの上縁に転動自在に掛け合わされることで前記ガイドレールの下方に懸架され、この懸架状態で前記ガイドレールに沿って移動するドアパネルとを具備し、
前記ガイドレールの下面は平坦であり、前記ドアパネルには回転自在な抑えローラが設けられ、この抑えローラが前記ガイドレールの下面側に配置されてその下面に対向し、前記ガイドレールには、前記抑えローラの前記ドアパネルの配置側に向く端面の上部と対向する突部が設けられていることを特徴とするエレベータのドア装置。
【発明の詳細な説明】
【技術分野】
【０００１】
この発明の実施形態は、建屋のエレベータ乗り場や乗客搬送用のかごに設けられるエレベータのドア装置に関する。
【背景技術】
【０００２】
建屋のエレベータ乗り場の出入口やかごの出入口に設けられるドア装置は、左右に移動するドアパネルを備えている。ドアパネルの上部には複数のハンガーローラが取り付けられ、そのハンガーローラが水平方向に延びるガイドレールの上縁に転動自在に掛け合わされることでドアパネルがガイドレールの下方に懸架され、この懸架状態でドアパネルがガイドレールに沿って左右に移動して出入口が開閉される。
【０００３】
ドアパネルの上部には、ガイドレールの下縁に対向するように脱輪防止用のローラが取り付けられ、ドアパネルが上下に振動するときに、そのローラがガイドレールの下縁に当接することでハンガーローラのガイドレールからの脱輪が防止される。
【先行技術文献】
【特許文献】
【０００４】
【特許文献１】特開２０１０−１７３７６８号公報
【発明の概要】
【発明が解決しようとする課題】
【０００５】
しかしながら、ドアパネルには、上下振動のほかに、かごが昇降移動する昇降路内で発生するドラフトの影響で、ドアパネルの面方向に風圧が加わり、ドアパネルが前後に振動することがある。
【０００６】
このような場合、ガイドレールの下側に単に脱輪防止用のローラが設けられているだけでは、ドアパネルが前後に振動したときに、そのローラがガイドレールの下側から外れ、ドアパネルを懸架しているハンガーローラがガイドレールから脱輪し、ドアパネルの移動に支障が生じる恐れがある。
【０００７】
この発明の実施形態は、このような課題に着目し、ドアパネルの上下振動だけでなく、前後の振動に対してもその動きを規制してハンガーローラの脱輪を的確に防止することができるエレベータのドア装置を提供しようとするものである。
【課題を解決するための手段】
【０００９】
このような課題を解決するために、請求項１の発明は、ドア保持用のヘッダーケースに曲げ加工により一体的に形成されたガイドレールと、回転自在なハンガーローラを有し、そのハンガーローラが前記ガイドレールの上縁に転動自在に掛け合わされることで前記ガイドレールの下方に懸架され、この懸架状態で前記ガイドレールに沿って移動するドアパネルとを具備し、前記ガイドレールの下面は、前記ドアパネルに向って斜め下方に傾斜し、前記ドアパネルには回転自在な抑えローラが設けられ、この抑えローラが前記ガイドレールの下面側に配置されてその下面と近接して対向し、前記抑えローラはその周面が前記ガイドレールの下面と同じ方向及び角度でテーパ状に傾斜する傘型形状となっていることを特徴としている。
【００１０】
請求項２の発明は、ドア保持用のヘッダーケースに曲げ加工により一体的に形成されたガイドレールと、回転自在なハンガーローラを有し、そのハンガーローラが前記ガイドレールの上縁に転動自在に掛け合わされることで前記ガイドレールの下方に懸架され、この懸架状態で前記ガイドレールに沿って移動するドアパネルとを具備し、前記ガイドレールの下面は平坦で、前記ドアパネルには回転自在な抑えローラが設けられ、この抑えローラが前記ガイドレールの下面側に配置されてその下面と接触し、前記抑えローラの少なくとも周面が摩擦係数の大きな材料で形成されていることを特徴としている。
【００１１】
請求項３の発明は、ドア保持用のヘッダーケースに曲げ加工により一体的に形成されたガイドレールと、回転自在なハンガーローラを有し、そのハンガーローラが前記ガイドレールの上縁に転動自在に掛け合わされることで前記ガイドレールの下方に懸架され、この懸架状態で前記ガイドレールに沿って移動するドアパネルとを具備し、前記ガイドレールの下面は平坦であり、前記ドアパネルには回転自在な抑えローラが設けられ、この抑えローラが前記ガイドレールの下面側に配置されてその下面に対向し、前記ガイドレールには、前記抑えローラの前記ドアパネルの配置側に向く端面の上部と対向する突部が設けられていることを特徴としている。
【図面の簡単な説明】
【００１２】
【図１】この発明の第１の実施形態に係るドア装置の正面図。
【図２】そのドア装置の要部の断面図。
【図３】この発明の第２の実施形態に係るドア装置の要部の断面図。
【図４】この発明の第３の実施形態に係るドア装置の要部の断面図。
【図５】この発明の第４の実施形態に係るドア装置の要部の断面図。
【発明を実施するための形態】
【００１３】
以下、この発明の実施の形態について図面を参照して説明する。
【００１４】
図１及び図２には、この発明の第１の実施形態を示してある。この実施形態におけるドア装置は、例えばエレベータ乗り場の出入口１を開閉するドア装置であり、出入口１の昇降路側上部にはドア保持用のヘッダーケース２が取り付けられている。
【００１５】
ヘッダーケース２は、板金材からなり、その表面側に曲げ加工によりガイドレール３が一体に突出形成されている。ガイドレール３はヘッダーケース２の長手方向に沿って水平に延びる状態にある。
【００１６】
このドア装置は、一対のドアパネル５を備え、これらドアパネル５はそれぞれ上部にハンガー６を有し、これらハンガー６の片面の上部に左右に並んで一対ずつハンガーローラ７が軸８を介して回転自在に取り付けられている。そしてこれらハンガーローラ７がガイドレール３の上縁に転動自在に掛け合わされ、各ドアパネル５がガイドレール３の下方に懸架され、これらドアパネル５がガイドレール３に沿って左右に移動することで出入口１が開閉される。
【００１７】
各ドアパネル５のハンガー６には、ハンガーローラ７の下方側に位置して脱輪防止用の円柱状の抑えローラ１０が各ハンガーローラ７に対応して取り付けられている。これら抑えローラ１０は、それぞれドアパネル５の直角方向に延びる軸１１を介して回転自在に支持され、ガイドレール３の下側に配置されている。
【００１８】
ガイドレール３の下面３ａは、ドアパネル５に向って斜め下方に傾斜する傾斜面となっている。この傾斜面は垂直面に対して９０°未満の角度で傾斜している。下面３ａの区間のうち、ドアパネル５に最も近寄る部分が傾斜最下部３ｂとなっている。
【００１９】
抑えローラ１０は、その周面がガイドレール３の下面３ａに近接して対向し、この抑えローラ１０の周面上部が下面３ａの傾斜最下部３ｂの位置よりも上方となる位置に配置されている。
【００２０】
このようなドア装置によれば、ドアパネル５に上下の振動が加わったときには、抑えローラ１０がガイドレール３の下面３ａに当接することにより、その振動が抑えられ、したがってガイドレール３に対するハンガーローラ７の脱輪が防止される。
【００２１】
また、昇降路内のドラフトの影響などでドアパネル５に前後の振動が加わったときには、抑えローラ１０の端縁上部がガイドレール３の下面３ａに当接し、その当接で前後の振動が抑えられ、したがって抑えローラ１０がガイドレール３の下側から離脱することがなく、これによりガイドレール３に対するハンガーローラ７の脱輪が防止される。
【００２２】
このように、ドアパネル５に上下振動や前後振動が加わってもガイドレール３に対するハンガーローラ７の脱輪を的確に防止することができ、したがってドアパネル５をガイドレール３に沿って常時円滑に移動させることができる。
【００２３】
図３には、第２の実施形態を示してある。この実施形態においては、ガイドレール３の下側に配置された抑えローラ１０ａが傘型形状をなしている。すなわち、抑えローラ１０ａの周面がテーパ状に傾斜し、その傾斜の方向及び角度がガイドレール３の下面３ａの傾斜の方向及び角度と同じとなっており、この抑えローラ１０ａの周面が下面３ａに近接して対向するように配置されている。
【００２４】
この第２の実施形態の場合には、ドアパネル５に上下の振動が加わったとき、及び前後の振動が加わったときには、抑えローラ１０ａのテーパ状の周面がその長手方向の全区間でガイドレール３の下面３ａに当接し、その当接でドアパネル５の上下及び前後の振動が抑えられ、したがってガイドレール３に対するハンガーローラ７の脱輪が防止される。
【００２５】
特にこの実施形態においては、抑えローラ１０ａの周面がテーパ形状で、この周面の長手方向の全長区間がガイドレール３の下面３ａの傾斜面に当接するから、より安定してドアパネル５の振動を抑えることができる。
【００２６】
図４には、第３の実施形態を示してある。この実施形態においては、ガイドレール３の下面３ａが傾斜せずに、水平な平坦面となっている。そしてドアパネル５のハンガー６に軸１１を介して円柱状の抑えローラ１０ｂが回転自在に取り付けられ、この抑えローラ１０ｂがガイドレール３の下側に配置されている。この抑えローラ１０ｂは、ゴムなどの摩擦係数の大きな材料で形成され、その周面がガイドレール３の下面３ａの平坦面に接触する状態でドアパネル５に保持されている。
【００２７】
この第３の実施形態の場合には、ドアパネル５に上下の振動が加わったときには、抑えローラ１０ｂとガイドレール３の下面３ａとの当接でその振動が抑えられる。そして、ドアパネル５が前後に振動したときには、抑えローラ１０ｂとガイドレール３の下面３ａとが摩擦する。抑えローラ１０ｂはゴムなどの摩擦係数の大きな材料で形成されているから、その抑えローラ１０ｂとガイドレール３の下面３ａとの間には大きな摩擦力が生じ、この摩擦力でドアパネル５の前後の振動が抑えられる。したがって、この実施形態においても、ドアパネル５の上下及び前後の振動を抑えてガイドレール３に対するハンガーローラ７の脱輪を的確に防止することができる。
【００２８】
図５には、第４の実施形態を示してある。この実施形態においては、ガイドレール３の下面３ａが傾斜せずに、水平な平坦面となっている。そしてドアパネル５のハンガー６に軸８を介して円柱状の抑えローラ１０ｃが回転自在に取り付けられ、この抑えローラ１０ｃがガイドレール３の下面３ａと対向するように配置されている。
【００２９】
ガイドレール３の前面つまりドアパネル５との対向面には板金１４が取り付けられ、この板金１４の下部がガイドレール３の下面３ａよりも下方に突出する突部１５となっている。そしてガイドレール３の下側に配置された抑えローラ１０ｃの一端側の端面上部が突部１５に対向する状態にある。
【００３０】
この第４の実施形態の場合には、ドアパネル５に上下の振動が加わったときには、抑えローラ１０ｃとガイドレール３の下面３ａとの当接でその振動が抑えられる。そして、ドアパネル５が前後に振動したときには、抑えローラ１０ｃの端面上部がガイドレール３の下面側に突出する突部１５に当接し、この当接でドアパネル５の前後の振動が抑えられる。したがって、この実施形態においても、ドアパネル５の上下及び前後の振動を抑えてガイドレール３に対するハンガーローラ７の脱輪を的確に防止することができる。
【００３１】
なお、前記第４の実施形態では、ガイドレール３の前面に板金１４を取り付け、この板金１４の下部をガイドレール３の下面側に突出させて突部１５としたが、例えばガイドレール３の下面の一部を下方に一体に突出させて抑えローラ１０ｃの端面上部と対向する突部とするような場合であってもよい。また、前記各実施形態はエレベータ乗り場のドア装置を対象としているが、エレベータのかごのドア装置においても同様に適用することが可能である。
【００３２】
さらに、以上の幾つかの実施形態は、例として提示したものであり、発明の範囲を限定することは意図していない。この発明の新規な実施形態は、その他の様々な形態で実施することが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００３３】
１…出入口
２…ヘッダーケース
３…ガイドレール
５…ドアパネル
６…ハンガー
７…ハンガーローラ
１０、１０ａ、１０ｂ、１０ｃ…抑えローラ
１４…板金
１５…突部
【図１】
0005660616.tif 000002
【図２】
0005660616.tif 000003
【図３】
0005660616.tif 000004
【図４】
0005660616.tif 000005
【図５】
0005660616.tif 000006